(57)【要約】【課題】動画・音声データを転送する際、受信側の録画再生機器の空き容量が不足している場合でも動画・音声データを転送できるようなデータ転送装置を提供する。【解決手段】ネットワークを通して動画・音声データを別の録画再生装置に転送（アップロード）する際、転送したい録画データ(104)をより低いビットレートで再エンコードし、録画再生装置B(103)の保存可能な空き容量(108)に収まるサイズにして転送する。これにより受信側の録画再生機器の空き容量が不足している場合でも動画・音声データを転送できる。【選択図】  図１
2007181066.tif 000002
【特許請求の範囲】
【請求項１】
データ転送装置に存在する動画・音声データを、ネットワークで接続された装置に転送する転送手段と、
前記動画・音声データを再エンコードする再エンコード手段とを具備し、
転送先の前記装置の保存容量不足を回避するため、前記動画・音声データを再エンコード手段にて再エンコードしてから前記転送手段にて前記装置へ転送することを特徴とするデータ転送装置。
【請求項２】
前記転送する動画・音声データのサイズを前記保存容量の空きに収まる様、少なくともユーザ指定のビットレートで前記再エンコード手段にて再エンコードすることを特徴とする請求項１記載のデータ転送装置。
【請求項３】
データ転送装置に存在する動画・音声データを、ネットワークで接続された装置に転送する転送手段と、
前記動画・音声データを異なる形式にトランスコードするトランスコード手段とを具備し、
転送先の前記装置が再生できる形式に前記動画・音声データを前記トランスコード手段にてトランスコードしてから前記転送手段にて前記装置へ転送することを特徴とするデータ転送装置。
【請求項４】
前記転送する動画・音声データが転送先の前記装置にて再生できる様、少なくともユーザ指定の形式で前記トランスコード手段にてトランスコードすることを特徴とする請求項３記載のデータ転送装置。
【発明の詳細な説明】
【技術分野】
【０００１】
本発明は、動画・音声データの転送に係り、受信側の録画再生機器の空き容量に応じ送信側の録画再生機器で転送する動画・音声データを制御することにより転送するデータ転送装置に関する。
【背景技術】
【０００２】
従来、転送する動画・音声データを制御する方法として、外部機器に録画番組情報等を送信し、折り返し、外部機器から圧縮レート等の情報を受信し、圧縮レートを変換する方法があった。
【０００３】
例えば特許文献１には、録画装置再生装置はネットワーク経由で外部機器に録画番組情報を送信し、折り返し、外部機器から番組タイトル、圧縮レート変換要求を受信したら、対象番組の圧縮レートを変換し番組データを端末に転送する方法が記載されている。
【特許文献１】特開２００５−１８４４５１号公報
【発明の開示】
【発明が解決しようとする課題】
【０００４】
しかしながら、上述した従来の技術は、外部機器に録画番組情報を送信し、折り返し、外部機器から番組タイトル、圧縮レート変換要求を受信するという煩雑な手順が必要であった。
【０００５】
本発明は上述の事情を考慮してなされたものであり、録画再生機器間で動画・音声データを転送する際、受信側の録画再生機器の空き容量を取得し、送信側の録画再生機器で転送する動画・音声データを空き容量以下になるよう再エンコードすることにより、受信側の録画再生機器の空き容量が不足している場合でも動画・音声データを転送できるデータ転送装置を提供することを目的とする。
【課題を解決するための手段】
【０００６】
上記課題を解決するため、請求項１に係る発明のデータ転送装置では、データ転送装置に存在する動画・音声データを、ネットワークで接続された装置に転送する転送手段と、前記動画・音声データを再エンコードする再エンコード手段とを具備し、転送先の前記装置の保存容量不足を回避するため、前記動画・音声データを再エンコード手段にて再エンコードしてから前記転送手段にて前記装置へ転送することを特徴とする。
【０００７】
更に請求項２に係る発明では、前記転送する動画・音声データのサイズを前記保存容量の空きに収まる様、少なくともユーザ指定のビットレートで前記再エンコード手段にて再エンコードすることを特徴とする。
【０００８】
また請求項３に係る発明では、データ転送装置に存在する動画・音声データを、ネットワークで接続された装置に転送する転送手段と、前記動画・音声データを異なる形式にトランスコードするトランスコード手段とを具備し、転送先の前記装置が再生できる形式に前記動画・音声データを前記トランスコード手段にてトランスコードしてから前記転送手段にて前記装置へ転送することを特徴とする。
【０００９】
更に請求項４に係る発明では、前記転送する動画・音声データが転送先の前記装置にて再生できる様、少なくともユーザ指定の形式で前記トランスコード手段にてトランスコードすることを特徴とする。
【発明の効果】
【００１０】
本発明によれば、録画再生機器間で動画・音声データを転送する際、受信側の録画再生機器の空き容量を取得し、送信側の録画再生機器で転送する動画・音声データを空き容量以下になるよう再エンコードすることにより、受信側の録画再生機器の空き容量が不足している場合でも動画・音声データを転送できる。
【発明を実施するための最良の形態】
【００１１】
図1は本発明の概要図である。録画再生装置A(101)と録画再生装置B(103)は、動画・音声データを保存でき、有線/無線によるネットワーク接続が可能な録画再生装置である。
【００１２】
それぞれの録画再生装置は、ネットワークを通して動画・音声データを別の録画再生装置に転送（アップロード）する機能を有する。
【００１３】
例として、録画再生装置A(101)に保存された動画・音声データを、録画再生装置B(103)に転送する場合を考える。
【００１４】
この際、録画再生装置A(101)の転送したい動画・音声データ(104)のデータ容量が、録画再生装置B(103)の保存可能な空き容量(108)を超える場合、全てを転送することができないという問題がある。
【００１５】
ここで本実施例では、この問題点を解決するため、転送したい録画データ(104)をより低いビットレートで再エンコードし、録画再生装置B(103)の保存可能な空き容量(108)に収まるサイズにして転送する。
【００１６】
図２とともに、上記の実施例のフローチャートを説明する。ユーザーは転送側の録画再生装置を操作するものとする。
【００１７】
まず、ユーザは転送したい動画・音声データと受信側の録画再生装置を選択する。その際、転送したい動画・音声データのサイズ（(a)とする）を取得し(202)、次に受信側の保存可能な空き容量（(b)とする）を取得する(203)。
【００１８】
ユーザが転送を開始しようとした際、(a)と(b)のサイズを比較する(204)。もし(a)の方が小さい場合は、受信側の保存領域の空き容量が十分あるため、通常通りネットワーク転送を行う(210)。
【００１９】
一方、(a)の方が大きい場合は、転送先の保存領域の空き容量に入りきらないため、ユーザにこのままでは転送できないことを通知し、再エンコードの可否をユーザに問い合わせる（205）。
【００２０】
ユーザが再エンコードしないことを選択した場合は、転送できないため終了となる(207)。ユーザが再エンコードすることを選択した場合は、空き容量以下となるようなビットレートを画面表示し、ユーザはそのビットレート以下の値を任意に選択する(208)。
【００２１】
その後ユーザが転送開始を要求すると、転送側の録画再生装置で転送したい動画・音声データを指定されたビットレートで再エンコードし(209)、受信側の録画再生装置へとネットワーク経由で送信する(209)。全て転送し終わった時点で終了となる(211)。
図3は、変形例の概要である。図１と同様に、録画再生装置A(301)と録画再生装置B(303)は、動画・音声データを保存でき、有線/無線によるネットワーク接続が可能な録画再生装置である。
【００２２】
それぞれの録画再生装置は、ネットワークを通して動画・音声データを別の録画再生装置に転送（アップロード）する機能を有する。
【００２３】
例として、録画再生装置A(301)に保存された動画・音声データを、録画再生装置B(303)に転送する場合を考える。この際、録画再生装置A(301)の転送したい動画・音声データ(304)のデータ形式が、録画再生装置B(303)の再生可能な動画形式 (308)と異なる場合、転送後録画再生装置B(303)では再生できないという問題がある。
【００２４】
ここで本実施例では、この問題点を解決するため、転送したい録画データ(304)を録画再生装置B(303)で再生可能な動画形式にトランスコードし(306)、録画再生装置B(103)へ転送する。
【００２５】
図4とともに、上記の実施例のフローチャートを説明する。ユーザーは転送側の録画再生装置を操作するものとする。まず、ユーザは転送したい動画・音声データと受信側の録画再生装置を選択する。
【００２６】
その際、転送したい動画・音声データの形式（(a)とする）を取得し(402)、次に受信側の再生可能な動画・音声データの形式（(b)とする）を取得する(403)。ユーザが転送を開始しようとした際、(b)の中に(a)が含まれるかを判定する(404)。もし(a)が含まれる場合は、受信側で転送したい録画データを再生できるため、通常通りネットワーク転送を行う(410)。一方、(a)が含まれない場合は、転送先の録画再生機器で再生できないため、ユーザに転送しても再生できないことを通知し、トランスコードの可否をユーザに問い合わせる（405）。ユーザがトランスコードしないことを選択した場合は、転送できないため終了となる(407)。ユーザがトランスコードすることを選択した場合は、送信側録画再生機器でトランスコードでき、かつ受信側録画再生機器で再生できる動画・音声データ形式を画面表示し、ユーザは動画・音声データ形式を任意に選択する(408)。
【００２７】
その後ユーザが転送開始を要求すると、転送側の録画再生装置で転送したい動画・音声データを指定された動画・音声データ形式でトランスコードし(409)、受信側の録画再生装置へとネットワーク経由で送信する(409)。全て転送し終わった時点で終了となる(411)。
【図面の簡単な説明】
【００２８】
【図１】本発明の実施形態に係るデータ転送装置を示す説明図。
【図２】本発明の実施形態に係るデータ転送装置におけるフローチャート図。
【図３】本発明の他の実施形態に係るデータ転送装置を示す説明図。
【図４】本発明の他の実施形態に係るデータ転送装置におけるフローチャート図。
【符号の説明】
【００２９】
１０１  録画再生装置A
１０３  録画再生装置B
１０４  動画・音声データ
１０８  保存可能な空き容量
【図１】
2007181066.tif 000003
【図２】
2007181066.tif 000004
【図３】
2007181066.tif 000005
【図４】
2007181066.tif 000006